(57)【要約】【課題】  透過原稿の挿入も排出も第一の開口から行う場合に、何等かの不具合によって透過原稿を搬送路の第一の開口とは逆側の端に向かって搬送してしまってもフィルムに損傷を与えない透過原稿搬送装置及びそれを用いた画像読み取り装置を提供する。【解決手段】  本発明に係る透過原稿搬送装置は、イメージセンサ、又はイメージセンサに原稿の光学像を入射させるミラーを原稿台の盤面に平行に移動させて原稿を読み取る画像読み取り装置の原稿読み取り領域に透過原稿を搬送するための透過原稿搬送装置であって、一方の端に透過原稿が挿入される第一の開口を有し、他方の端に前記透過原稿を排出可能な第二の開口を有する搬送路と、前記第一の開口から挿入された透過原稿を前記搬送路に沿って前記原稿読み取り領域に搬送し、前記透過原稿を前記搬送路に沿って前記第一の開口から排出する搬送部と、を備える。【選択図】    図１
2006100927.tif 000002
【特許請求の範囲】
【請求項１】
イメージセンサ、又はイメージセンサに原稿の光学像を入射させるミラーを原稿台の盤面に平行に移動させて原稿を読み取る画像読み取り装置の原稿読み取り領域に透過原稿を搬送するための透過原稿搬送装置であって、
一方の端に透過原稿が挿入される第一の開口を有し、他方の端に前記透過原稿を排出可能な第二の開口を有する搬送路と、
前記第一の開口から挿入された透過原稿を前記搬送路に沿って前記原稿読み取り領域に搬送し、前記透過原稿を前記搬送路に沿って前記第一の開口から排出する搬送部と、
を備えることを特徴とする透過原稿搬送装置。
【請求項２】
前記搬送部は、前記原稿読み取り領域に搬送した前記透過原稿の面が前記原稿台の盤面に平行で平坦な姿勢になるように前記透過原稿を前記原稿読み取り領域に搬送することを特徴とする請求項１に記載の透過原稿搬送装置。
【請求項３】
原稿台と、
請求項１に記載の透過原稿搬送装置と、
イメージセンサ、又はイメージセンサに原稿の光学像を入射させるミラーを前記原稿台の盤面に平行に移動させ、前記透過原稿搬送装置によって前記原稿読み取り領域に搬送された透過原稿を読み取る読み取り部と、
を備えることを特徴とする画像読み取り装置。
【請求項４】
原稿台と、
請求項２に記載の透過原稿搬送装置と、
イメージセンサ、又はイメージセンサに原稿の光学像を入射させるミラーを、前記透過原稿搬送装置によって前記原稿読み取り領域に搬送された透過原稿の面に平行に移動させて前記透過原稿を読み取る読み取り部と、
を備えることを特徴とする画像読み取り装置。
【請求項５】
前記透過原稿搬送装置は、前記原稿台に載置された反射原稿を押さえる脱着可能な原稿マットを備え、前記原稿台の盤面を覆う姿勢と開放する姿勢とに揺動自在に当該画像読み取り装置本体に連結されることを特徴とする請求項３又は４に記載の画像読み取り装置。
【発明の詳細な説明】
【技術分野】
【０００１】
本発明は透過原稿搬送装置及びそれを用いた画像読み取り装置に関する。
【背景技術】
【０００２】
従来、イメージセンサ、又はイメージセンサに原稿の光学像を入射させるミラーを原稿台の盤面に平行に移動させて原稿を読み取る所謂フラットベッド型の画像読み取り装置が知られている。
こうしたフラットベッド型の画像読み取り装置には、写真フィルムなどの透過原稿を読み取るとき、ホルダでフィルムを保持し、当該ホルダを原稿台に載置することによってフィルムを原稿読み取り領域に位置決めするものがある。
【０００３】
また、フラットベッド型の画像読み取り装置には、ホルダでフィルムを保持せず、挿入口から挿入されたフィルムをそのまま搬送する透過原稿搬送装置を備えたものもある。
上述した透過原稿搬送装置を備えるフラットベッド型の画像読み取り装置の場合、挿入口を透過原稿搬送装置の前方に設け、排出口を後方に設けると、ユーザは排出されたフィルムを取り難くなるので使い勝手が悪い。従って、挿入も排出も前方に設けられた挿入口から行うようにすることが望ましい。
【発明の開示】
【発明が解決しようとする課題】
【０００４】
しかしながら、挿入も排出も挿入口から行うようにすると、搬送部、又は搬送部に指示を与える制御装置の不具合によってユーザのフィルムに損傷を与えてしまう畏れがあるという問題がある。
具体的には例えば、読み終えたフィルムを挿入口から排出する場合、搬送部が正常に動作すればフィルムは搬送路を挿入口側に向かって搬送されるはずである。しかしながら、搬送部又は制御装置に不具合があり、フィルムを搬送路の挿入口とは逆側の端に向かって搬送してしまうことも考えられる。あるいは、画像読み取り領域にフィルムを搬送するときに不具合によって透過原稿搬送用モータの回転が止まらず、挿入口とは逆側の端に向かって送り続けられてしまうことも考えられる。このような不具合が起きると、フィルムは搬送路の挿入口とは逆側の端で行き場を失い、複雑に折れ曲がって詰まってしまう。所謂ジャムが発生してしまう。こうなってしまうとフィルムは回復不能な損傷を受けてしまう。
【０００５】
フィルムはユーザの財産であり、それに損傷を与えることはあってはならない。しかしながら、搬送部に絶対に不具合がないと保証することは実質的に不可能である。
本発明は、かかる問題に鑑みて創作されたものであって、透過原稿の挿入も排出も第一の開口から行う場合に、何等かの不具合によって透過原稿を搬送路の第一の開口とは逆側の端に向かって搬送してしまってもフィルムに損傷を与えない透過原稿搬送装置及びそれを用いた画像読み取り装置を提供することにある。
【課題を解決するための手段】
【０００６】
上記目的を達成するため、本発明に係る透過原稿搬送装置は、イメージセンサ、又はイメージセンサに原稿の光学像を入射させるミラーを原稿台の盤面に平行に移動させて原稿を読み取る画像読み取り装置の原稿読み取り領域に透過原稿を搬送するための透過原稿搬送装置であって、一方の端に透過原稿が挿入される第一の開口を有し、他方の端に前記透過原稿を排出可能な第二の開口を有する搬送路と、前記第一の開口から挿入された透過原稿を前記搬送路に沿って前記原稿読み取り領域に搬送し、前記透過原稿を前記搬送路に沿って前記第一の開口から排出する搬送部と、を備える。この透過原稿搬送装置によると、例えば挿入口に向かって搬送されるべき透過原稿が何等かの不具合によって搬送路の他方の端に向かって搬送されてしまったとしても、第二の開口があるためフィルムは第二の開口から透過原稿搬送装置外に排出される。このため、搬送路の他方の端で透過原稿が詰まってしまうことがない。従って、例え不具合があったとしてもフィルムに損傷を与えることを防止できる。
【０００７】
さらに本発明に係る透過原稿搬送装置では、前記搬送部は、前記原稿読み取り領域に搬送した前記透過原稿の面が前記原稿台の盤面に平行で平坦な姿勢になるように前記透過原稿を前記原稿読み取り領域に搬送する。
上記目的を達成するため、本発明に係る画像読み取り装置は、原稿台と、請求項１に記載の透過原稿搬送装置と、イメージセンサ、又はイメージセンサに原稿の光学像を入射させるミラーを前記原稿台の盤面に平行に移動させ、前記透過原稿搬送装置によって前記原稿読み取り領域に搬送された透過原稿を読み取る読み取り部と、を備える。この画像読み取り装置によると、請求項１に記載の透過原稿搬送装置を備えるため、何等かの不具合によるフィルムの損傷を防止できる。
【０００８】
上記目的を達成するため、本発明に係る画像読み取り装置は、原稿台と、請求項２に記載の透過原稿搬送装置と、イメージセンサ、又はイメージセンサに原稿の光学像を入射させるミラーを、前記透過原稿搬送装置によって前記原稿読み取り領域に搬送された透過原稿の面に平行に移動させて前記透過原稿を読み取る読み取り部と、を備える。この画像読み取り装置によると、請求項２に記載の透過原稿搬送装置を備えるため、何等かの不具合によるフィルムの損傷を防止できる。
【０００９】
さらに本発明に係る画像読み取り装置では、前記透過原稿搬送装置は、前記原稿台に載置された反射原稿を押さえる脱着可能な原稿マットを備え、前記原稿台の盤面を覆う姿勢と開放する姿勢とに揺動自在に当該画像読み取り装置本体に連結される。この画像読み取り装置によると、透過原稿搬送装置を反射原稿を読み取るための原稿カバーとしても用いることができる。
【発明を実施するための最良の形態】
【００１０】
以下、本発明を実施するための最良の形態を実施例に基づいて説明する。
図１は、本発明の一実施例に係る画像読み取り装置としてのイメージスキャナ１の内部構造を示す断面図である。イメージスキャナ１は、イメージセンサ３８を原稿台２４の盤面に平行に移動させて原稿を読み取る所謂フラットベッド型であり、透過原稿搬送装置１７を備えている。
【００１１】
原稿台２４はガラス板等の透明板で形成され、その盤面上に印刷文書、写真、書籍等の原稿が載置される。
キャリッジ４２は、原稿台２４の盤面に対し平行なガイドロッド４６に摺動自在に嵌合している。キャリッジ４２は、第二光源３４を搭載している。またキャリッジ４２は、ミラー３２と、レンズ３６と、イメージセンサ３８とを搭載している。キャリッジ４２は、図示しないキャリッジ搬送用モータによって駆動されるプーリに掛けられたベルトに牽引され、原稿台２４の盤面と平行に矢印Ｘ、Ｙの方向に往復移動する。第二光源３４、ミラー３２、レンズ３６、及びイメージセンサ３８がキャリッジ４２によって原稿台２４の盤面と平行な矢印Ｘ、Ｙの方向に運搬されると、原稿を読み取る狭幅な主走査範囲がその幅方向に移動する。
【００１２】
尚、画像読み取り装置は、原稿台に対してイメージセンサ及びレンズの位置を固定し、複数のミラーを連動して移動させることによって主走査範囲をその幅方向に移動させるミラー移動型でもよいし、縮小光学系の代わりにロッドレンズアレイを用いた密着型イメージセンサを用いてもよい。
第二光源３４は、原稿台２４の裏面側に設けられ、例えばキセノン、ネオン等の希ガスや水銀を封入した蛍光管ランプ等の管照明装置から構成されている。第二光源３４は、その長手方向軸線がガイドロッド４６の長手方向軸線と垂直で原稿台２４に平行な方向に延びるようにキャリッジ４２に搭載されている。第二光源３４に照明された原稿の主走査範囲上の反射光は、ミラー３２で反射してレンズ３６に入射し、レンズ３６によってイメージセンサ３８の受光面に集光される。レンズ３６及びミラー３２は、イメージセンサ３８の受光面に原稿台２４の盤面に載置された原稿が鮮明に結像される位置に配置される。
【００１３】
第一光源ユニット２１は、透過原稿搬送装置１７のハウジング５１内に設けられ、第一光源２０、リフレクタ１８及び拡散板２２で構成されている。第一光源２０は例えばキセノン、ネオン等の希ガスや水銀を封入した蛍光管ランプ等の管照明装置から構成されている。第一光源２０は、その長手方向軸線がガイドロッド４６の長手方向軸線と平行に延びるように設けられている。第一光源２０の真下に主走査範囲の中央が位置するように設定されている。リフレクタ１８は、第一光源２０の原稿台２４と反対側に設けられている。拡散板２２は、第一光源２０の原稿台２４と同じ側に設けられている。第一光源２０から放射された光は、リフレクタ１８で反射し、拡散板２２によって拡散され、透過原稿としての３５ｍｍストリップフィルムの読み取り対象のコマが読み取り時に位置決めされる第一読み取り領域ＳＳ（図８参照）、マウントフィルムが読み取り時に位置決めされる第二読み取り領域ＳＭ（図８参照）及び白基準読み取り領域ＳＷ（図８参照）を均一な照度で照明する。
【００１４】
イメージセンサ３８は、フォトダイオード等で構成される図示しない光電変換素子が直線的に多数配列された所謂リニアイメージセンサである。イメージセンサ３８は、多数の光電変換素子が管状の第二光源３４の中心軸線と平行に並ぶ姿勢でキャリッジ４２に搭載されている。イメージセンサ３８の各光電変換素子には受光量に応じた電荷が光電変換により蓄積される。各光電変換素子に蓄積された電荷は、ＣＣＤ（Charge Coupled Device）等によってイメージセンサ３８の出力部に転送される。イメージセンサ３８から出力されるアナログ信号は、図示しないＡ／Ｄ変換器によってディジタル信号に変換されて出力される。
【００１５】
次に、透過原稿搬送装置１７について説明する。
図２及び図３は、透過原稿搬送装置１７の外観を示す斜視図である。図２は挿入口カバー１２が開姿勢の状態を示しており、図３は挿入口カバー１２が閉姿勢の状態を示している。図２に示すように透過原稿搬送装置１７のハウジング５１にはフィルムを挿入するための挿入口１４が設けられている。挿入口１４は特許請求の範囲に記載の第一の開口に相当する。挿入口カバー１２は挿入口１４からハウジング５１内に埃や塵などが入り込むことを防止するためのものであり、挿入口１４を閉塞する閉姿勢と開放する開姿勢とに揺動可能にハウジング５１に連結されている。本実施例の挿入口カバー１２には棒状の部材を折り曲げて形成された支持部材６５が設けられている。支持部材６５は挿入口１４に挿入されるフィルムを支持するためのものである。
【００１６】
図４は、挿入口カバー１２が開姿勢にあるときの挿入口１４周辺の斜視図である。挿入口１４の周辺には排紙ボタン５３が設けられている。排紙ボタン５３は挿入口１４から挿入されたフィルムを排出する指示を受け付ける押しボタンである。挿入口カバー１２は挿入口１４よりも大きく形成されており、挿入口カバー１２が閉姿勢になると挿入口１４と排紙ボタン５３とは図３に示すように挿入口カバー１２によって覆われる。
【００１７】
図５は、挿入口１４を図１に示すＷ方向から見た模式図である。挿入口１４は図示するようにフィルムＭの幅方向の端部近傍ではフィルム面との距離が近く、幅方向の中央付近ではフィルム面との距離が遠くなる形状に形成されている。フィルムＭは図６（Ａ）または図６（Ｂ）に示すように幅方向の中央部が撓んだ状態で挿入される可能性がある。この場合、挿入口１４の幅方向の中央部がフィルム面に近いと、撓んだフィルムの幅方向の中央部が挿入口１４の中央部に当たってフィルムＭの画像記録領域が傷つく畏れがある。図５に示すように挿入口１４の形状を中央部が膨らんだ形状にすると、フィルムの中央部が挿入口１４に当たって傷つくことを防止できる。後述する搬送路８７の導入部の断面形状も同形状である。
【００１８】
図７は、透過原稿搬送装置１７の裏側を示す斜視図である。透過原稿搬送装置１７はヒンジ６６によってイメージスキャナ１本体に揺動自在に連結される。透過原稿搬送装置１７が全閉姿勢になると、原稿台２４は透過原稿搬送装置１７によって覆われる。透過原稿搬送装置１７の下部には原稿マット５２が脱着自在に設けられている。原稿マット５２は反射原稿を読み取るときに装着され、原稿台２４に載置された反射原稿を押さえる。原稿マット５２はフィルムを読み取るときに取り外される。
【００１９】
次に、透過原稿搬送装置１７の内部構造について説明する。
図８は、図１に示す透過原稿搬送装置１７のみを示す断面図である。透過原稿搬送装置１７は、前述した第一光源ユニット２１、第一押さえ部材２５、第一レール部材４９、第二レール部材２６、搬送部としての搬送機構５７、第二押さえ部材２７、第三レール部材４８などを有している。
【００２０】
破線で示す搬送路８７は、第一押さえ部材２５、第一レール部材４９、第二レール部材２６、搬送機構５７、第二押さえ部材２７、第三レール部材４８によって形成されている。挿入口１４から挿入されたフィルムは搬送路８７に沿って原稿読み取り領域としての第一読み取り領域ＳＳに搬送される。図示するように搬送路８７の挿入口１４とは逆側の端には第二の開口としての排出口９０が設けられている。排出口９０は、フィルムを透過原稿搬送装置１７外に排出するのに十分な大きさに形成されている。
【００２１】
第一押さえ部材２５は、第一レール部材４９との間隙によって搬送路８７の導入部を形成している。挿入口１４から挿入されたフィルムは導入部を通過して搬送機構５７に到達する。
第一レール部材４９には、図１に示す第一レール８４と第二レールとが形成されている。図８において第二レールは第一レール８４より紙面奥側で第一レール８４と平行に形成されている。
【００２２】
図９は、原稿マット５２を取り外した状態の透過原稿搬送装置１７を下から見た平面図である。第二レール部材２６は透過原稿搬送装置１７にねじで締結されている。第二レール部材２６は第一読み取り領域ＳＳに対応する開口６７が形成されている。開口６７はイメージセンサ３８の主走査範囲のほぼ中央に位置している。第一光源ユニット２１から放射された光はフィルムを透過して開口６７を通過し、ミラー３２に反射されてイメージセンサ３８に入射する。第二レール部材２６は、第一レール８４の延長線上に位置しキャリッジ４２のガイドロッド４６の中心軸線を含む仮想平面と平行に延びる第三レールと、第二レールの延長線上に位置しキャリッジ４２のガイドロッド４６の中心軸線を含む仮想平面と平行に延びる第四レールとを有している。図８において開口６７は第三レールより紙面奥側に位置し、図８において第四レールは開口６７より更に紙面奥側に位置している。第三レールと第四レールとの間隔は、フィルムの画像記録領域に接触しないようにフィルムの画像記録領域の幅２４ｍｍより広くなっている。第三レール及び第四レールは、後端部から前端部に向かって降下し前端部が平坦である。透過原稿搬送装置１７から原稿マット５２を取り外すと、透過原稿搬送装置１７の重さによって第二レール部材２６の下面が原稿台２４の盤面に圧接する。
【００２３】
図１０は、搬送機構５７を下側から見た斜視図である。搬送機構５７はプーリ対、ベルト、板ばね、複数のポジションセンサ、図示しない透過原稿搬送用モータ、図示しない透過原稿搬送用モータ駆動回路などを備える。透過原稿搬送用モータ駆動回路は、制御部１２６０（図１３参照）から送信される透過原稿搬送制御信号を受信し、透過原稿搬送用モータの回転方向、回転速度等を制御する。第一ベルト１６は第一プーリ対としてのプーリ３０とプーリ４４とに架け渡されている。第二ベルト７０は第二プーリ対としてのプーリ６４とプーリ７６とに架け渡されている。プーリ４４とプーリ７６とが固定された原動シャフト７８と、プーリ３０とプーリ６４とが固定された従動シャフト６２とは、板金フレーム１５に回転自在に支持されている。透過原稿搬送用モータは図示しない歯車列によって原動シャフト７８にトルクを伝達する。従動シャフト６２の一端部には、第一ベルト１６及び第二ベルト７０を手動回転させるためのノブ６０が固定されている。
【００２４】
図１１（Ａ）及び図１１（Ｂ）は、搬送機構５７を示す模式図である。第一ベルト１６は、第三レールの上に第一板ばね２８を押し潰すように設けられている。第二ベルト７０は、第四レールの上に第二板ばねを押し潰すように設けられている。第一ベルト１６及び第二ベルト７０が第一板ばね２８及び第二板ばねを押し潰すように設けられると、第一板ばね２８の挿入口１４側の端部と第二板ばねの挿入口１４側の端部は、図１１（Ｂ）に示すように同一の線分平行移動軌跡に反って湾曲し、それぞれ第一ベルト１６、第二ベルト７０の挿入口１４側の端部に圧接する。また、第一板ばね２８の反挿入口側の端部と第二板ばねの反挿入口側の端部は、同一の線分平行移動軌跡に反って湾曲し、それぞれ第一ベルト１６、第二ベルト７０の反挿入口側の端部に圧接する。フィルムが挿入口１４から第一レール部材４９に案内されて第一ベルト１６及び第二ベルト７０の挿入口１４側の端部に到達すると、第一板ばね２８の弾力によってフィルムのトラックの一方が第一ベルト１６に圧接し、第二板ばねの弾力によってフィルムのトラックの他方が第二ベルト７０に圧接する。第一板ばね２８と第二板ばねとにはメッキが施され、第二レール部材２６とは逆側の面に摺動シートが貼り付けられている。
【００２５】
図１２（Ａ）はメッキを施す前のばね部材２８ａの一部の断面図であり、図１２（Ｂ）はメッキを施し更に摺動シートを貼り付けた第一板ばね２８の断面図である。第一板ばね２８のばね部材２８ａは板状の素材をせん断し、プレス加工することによって製造されている。せん断を行うと図１２（Ａ）に示すようなバリが生じ、そのままではフィルムがバリで傷ついてしまう。研磨によってバリを除去することも可能であるが、研磨を行うとその分コストが上昇してしまう。また、メッキを厚くすることによりバリを埋めてしまうことも考えられるが、その場合はメッキに時間を要するためやはりコストが上昇してしまう。このため第一板ばね２８は、バリの高さよりは低い高さまでメッキを行うことでメッキ層２８ｂを形成し、その上に摺動シート２８ｃを貼り付けている。これにより、バリによるフィルムの傷つきを低コストで防止している。第二板ばねについても同様である。
【００２６】
図８に示す第三レール部材４８は、第三レールの延長線上に位置しキャリッジ４２のガイドロッド４６の中心軸線を含む仮想平面と平行に延びる第五レールと、第四レールの延長線上に位置しキャリッジ４２のガイドロッド４６の中心軸線を含む仮想平面と平行に延びる第六レールとを有し、原稿台２４の盤面から離間するように位置決めされている。また、第三レール部材４８には第五レールと第六レールとの間に第二読み取り領域ＳＭに対応する開口４８４（図９参照）が形成されている。開口４８４はイメージセンサ３８の主走査範囲のほぼ中央に位置している。第三レール部材４８の下の原稿台２４の盤面上の第二読み取り領域ＳＭにはマウントフィルムを載置することができる。キャリッジ４２はマウントフィルムを読み取るとき第二読み取り領域ＳＭの下方に搬送される。第一光源ユニット２１から放射された光は開口４８４を通過してマウントフィルムを透過し、ミラー３２に反射されてイメージセンサ３８に入射する。
【００２７】
図８に示すように第二レール部材２６と第三レール部材４８との間には白基準読み取り領域ＳＷが設定されている。白基準読み取り領域ＳＷは、具体的には第一読み取り領域ＳＳや第二読み取り領域ＳＭに載置される原稿をシェーディング補正するために必要な幅の白基準を取得するための開口である。
第一ポジションセンサ１０２は、挿入口１４から挿入されたフィルムの前端が搬送路８７の導入部の挿入検出位置ＳＰに到達すると反応する位置に設けられている。第一ポジションセンサ１０２は、具体的にはＬＥＤ等の光源、第一押さえ部材２５に設けられる反射板１０２ａ、光電変換素子などで構成されている。反射板１０２ａは極めて高反射率の白色の板か又は極めて低反射率の黒色の板のいずれかである。フィルムの両端部はレールに案内されているため、光源はフィルムの中央部を照明する。中央部を照明する場合、中央部には画像が形成されているため、光電変換素子に入射した光を光電変換して得た輝度値はフィルム毎にばらついてしまう。しかしながら、通常そのばらつきは一定の範囲内に納まることが多い。このため、反射板１０２ａから反射した光がその一定の範囲を外れるようにしておけば、フィルムの中央部を照明する場合であってもフィルムの有無を判定できる。例えばフィルムの中央部を照明した場合の輝度値が３０〜２２５までの範囲内に納まることが多いとする。ここで輝度値の範囲は０〜２５５である。この場合、反射した光の輝度値が２０以下になるような極めて低反射率の黒色の反射板１０２ａを用いるとすると、閾値として２５を設定し、輝度値が２５以上であればフィルムが存在すると判定し、２５未満であればフィルムは存在しないと判定することで、フィルムが存在するか否かを判定することができる。極めて高反射率の白色の反射板を用いる場合も同様である。
【００２８】
第二ポジションセンサ１０４は、第一ベルト１６及び第二ベルト７０に搬送されたフィルムの前端が搬送路８７の上昇区間の搬送原点ＯＰに到達すると反応する位置に設けられている。第二ポジションセンサ１０４もＬＥＤ等の光源、第二レール部材２６に設けられる反射板１０４ａ、光電変換素子などで構成されている。反射板１０４ａも反射板１０２ａと同様に極めて高反射率の白色の板か又は極めて低反射率の黒色の板のいずれかである。
【００２９】
次に、イメージスキャナ１のハードウェア構成について説明する。
図１３は、イメージスキャナ１のハードウェア構成を示すブロック図である。イメージスキャナ１はパーソナルコンピュータ（ＰＣ）１３０にインターフェース１２８を介して通信線、例えばＵＳＢ（Universal Serial Bus）ケーブルで繋がれる。
【００３０】
イメージスキャナ１は、制御部１２６０、スキャナ操作部１２０、第一照明部１１０、第二照明部１１２、イメージセンサ３８、主走査駆動部１１４、透過原稿搬送装置１７、キャリッジ搬送部１１８、アナログフロントエンド（ＡＦＥ）部１２２、ディジタル画像処理部１２４、及びインターフェース１２８を備えている。
【００３１】
制御部１２６０は、ＣＰＵ１２６２、ＲＯＭ１２６０、及びＲＡＭ１２６４を備える。ＣＰＵ１２６２はＲＯＭ１２６０に記憶されているプログラムを実行し、イメージスキャナ１の各部を制御する。ＲＯＭ１２６０は各種プログラム、各種データなどを記憶する不揮発性のメモリ、ＲＡＭ１２６４は各種プログラム、各種データなどを一時的に記憶するメモリである。
【００３２】
スキャナ操作部１２０は、イメージスキャナ１に対するユーザの操作を受け付け、所定の要求信号を制御部１２６０に送信する。例えば、スキャナ操作部１２０はＰＣ１３０のハードディスク（ＨＤＤ）に記憶されているスキャナ制御用プログラムを起動するためのボタンを備え、ユーザがボタンを押下すると上述のアプリケーションプログラムの起動を要求する信号が制御部１２６０に送信される。
【００３３】
第一照明部１１０は、上述の第一光源２０、図示しない第一光源用インバータ回路、第一照明部用制御回路等から構成される。第一照明部用制御回路は制御部１２６０から送信される第一照明部制御信号を受信し、第一光源２０の点灯、消灯を制御する。
第二照明部１１２は、上述の第二光源３４、図示しない第二光源用インバータ回路、第二照明部用制御回路等から構成される。第二照明部用制御回路は制御部１２６０から送信される第二照明部制御信号を受信し、第二光源３４の点灯、消灯を制御する。
【００３４】
主走査駆動部１１４はイメージセンサ３８を駆動するために必要な駆動パルスをイメージセンサ３８に出力する駆動回路であり、例えば同期信号発生器、駆動用タイミングジェネレータ等から構成される。
キャリッジ搬送部１１８は、上述の図示しないキャリッジ搬送用モータ、キャリッジ搬送用モータ駆動回路、キャリッジ駆動部用制御回路等から構成される。キャリッジ駆動部用制御回路は、制御部１２６０から送信されるキャリッジ搬送制御信号を受信し、キャリッジ搬送用モータの回転方向、回転速度等を制御する。
【００３５】
ＡＦＥ部１２２は、アナログ信号処理部、Ａ／Ｄ変換器等から構成される。アナログ信号処理部は、イメージセンサ３８から出力されたアナログ画像信号に対して、増幅、雑音低減処理等を施す。Ａ／Ｄ変換器はアナログ信号処理部から出力されたアナログ信号を量子化し、所定ビット長のディジタル表現の画素値をイメージセンサ３８の光電変換素子毎に出力する。
【００３６】
ディジタル画像処理部１２４は、ＡＦＥ部１２２から出力された画素値に対し、シェーディング補正、ガンマ補正等の処理を行ってディジタル画像データを生成する。
制御部１２６０、第一照明部１１０、イメージセンサ３８、主走査駆動部１１４、キャリッジ搬送部１１８、アナログフロントエンド（ＡＦＥ）部、及びディジタル画像処理部１２４は、特許請求の範囲に記載の読み取り部に相当する。
【００３７】
次に、イメージスキャナ１がストリップフィルムをローディングする動作について説明する。
図１４は、イメージスキャナ１におけるローディング動作のフローチャートである。ローディング動作とはフィルム挿入時に実行される一連の初期動作のことである。以下の説明において、フィルムに複数ある画像記録領域をコマというものとする。また、フィルムの進行方向に関して記述する場合、挿入口１４からフィルムを挿入するときにフィルムが進む方向（図１のＹ方向）を前方、その反対方向（図１のＸ方向）を後方というものとする。また、フィルムの前方側の端部をフィルムの前端といい、フィルムの後方側の端部をフィルムの後端というものとする。また、フィルムの後端に一番近いコマを最終コマというものとする。また、各コマのフィルム前端に近い端部をコマの前端、フィルム後端に近い端部を各コマの後端というものとする。
【００３８】
挿入口１４から挿入されたフィルムは第一レール部材４９に案内され、挿入検出位置ＳＰに達する。第一ポジションセンサ１０２が挿入されたフィルムの前端を感知するとローディング動作が開始される。
第一ポジションセンサ１０２からステップＳ１２の要求信号を受けた制御部１２６０は、挿入されたフィルムを前方に搬送する指示を透過原稿搬送装置１７に対して行う。すると、透過原稿搬送装置１７は透過原稿搬送用モータを回転させる。フィルムが第一ベルト１６と第二ベルト７０の挿入口１４側の端部に到達すると、透過原稿搬送用モータによって駆動されている第一ベルト１６と第二ベルト７０によって前方に搬送される。搬送路８７は第一板ばね２８と第二板ばねの挿入口１４側の端部で湾曲するため、フィルムは当該端部で幅方向の反りが矯正される（Ｓ１２）。第一ベルト１６及び第二ベルト７０はプーリ対で直線状に引っ張られているため、フィルムは第一ベルト１６と第二ベルト７０の中間部で浮き上がることも、矯正された反りが復元することもない。
【００３９】
フィルムの前端がＯＰに到達し、第二ポジションセンサ１０４が透過原稿の前端を感知すると、第二ポジションセンサ１０４はステップＳ１４を要求する信号を制御部１２６０に対して出力する（Ｓ１３）。
透過原稿搬送装置１７は、制御部１２６０の指示により、透過原稿搬送用モータを逆回転させフィルムの前端が第一読み取り領域ＳＳより挿入口１４側のホームポジションＨＰに一致する位置までフィルムを搬送する（Ｓ１４）。フィルムの前端がホームポジションＨＰに到達すると、透過原稿搬送装置１７が透過原稿搬送用モータを停止させ、ローディング動作は終了する。
【００４０】
次に、イメージスキャナ１がストリップフィルムを読み取る動作について説明する。
図１５は、ストリップフィルムの本スキャンモードにおける読み取り動作のフローチャートである。イメージスキャナ１は、透過原稿搬送装置１７によって第一読み取り領域ＳＳに搬送されたフィルムの面にイメージセンサ３８を平行に移動させてフィルムを読み取る。
【００４１】
制御部１２６０がユーザによる本スキャン要求を受け付けると、制御部１２６０はステップＳ４１を実施する指示を透過原稿搬送装置１７に対して行い、本スキャンモードにおける読み取り動作が開始される。本スキャン要求は、例えば、プレスキャンモードにおける読み取り動作の実行の結果としてディスプレイに表示されている全てのコマの低解像度画像の一覧表示から、本スキャン対象の複数のコマをユーザにクリックさせて選択させ、ディスプレイに表示された本スキャン開始ボタンをクリックさせて受け付ける。
【００４２】
ステップＳ４１では、透過原稿搬送装置１７は、フィルムの前端がホームポジションＨＰに一致する位置にフィルムを搬送する。
ステップＳ４２では、キャリッジ搬送部１１８は、制御部１２６０の指示により、主走査範囲が白基準読み取り領域ＳＷの挿入口１４側の端部に位置するまでキャリッジ４２を搬送する。
【００４３】
ステップＳ４３では、主走査範囲が白基準読み取り領域ＳＷの反挿入口側の端部に移動するまで主走査範囲の画像データの生成とキャリッジ４２の移動とを繰り返すことにより白基準を取得し、メモリに保存する。
ステップＳ４４では、キャリッジ搬送部１１８は、主走査範囲が第一読み取り領域ＳＳの反挿入口側の端部に位置するまでキャリッジ４２をＸ方向に搬送する。
【００４４】
ステップＳ４５では、本スキャン要求時に選択されたコマが第一読み取り領域内に位置決めされるまでフィルムを透過原稿搬送装置１７が搬送する。第一読み取り領域ＳＳでは、第一ベルト１６、第二ベルト７０、第一板ばね２８及び第二板ばねによって原稿台２４の盤面から所定の距離離れた位置で盤面と平行で平坦な姿勢でフィルムが保持される。
【００４５】
ステップＳ４６では、キャリッジ４２がＸ方向に移動して主走査範囲が第一読み取り領域ＳＳの挿入口１４側の端部に位置するまで、主走査範囲の画像データの生成とキャリッジ４２の移動が繰り返される。ディジタル画像処理部１２４から出力された画像データはＰＣ１３０に送信される。
ステップＳ４７では、本スキャン要求時に選択した全てのコマの画像データを取得したか否かを制御部１２６０で判定し、画像データが取得されていないコマがある場合は上述の処理を繰り返し、全てのコマの画像データが取得されている場合はステップＳ４８に進む。ステップＳ４５が繰り返されるとき、画像データを取得していないコマが第一読み取り領域に位置決めされる。
【００４６】
ステップＳ４８では、キャリッジ搬送部１１８はキャリッジ４２をキャリッジ待機位置ＣＰまで搬送する。
ステップＳ４９では、透過原稿搬送装置１７はフィルムの前端がホームポジションＨＰに一致する位置までフィルムを搬送し、本スキャンモードにおける読み取り動作は終了する。
【００４７】
次に、フィルムの排出の正常動作について説明する。
フィルムの排出は、排紙ボタン５３が押下されると開始される。排紙ボタン５３が押下されると、制御部１２６０は挿入されたフィルムを排出する指示を透過原稿搬送装置１７に対して行う。透過原稿搬送装置１７は、制御部１２６０の指示により透過原稿搬送用モータを逆回転させてフィルムを搬送路８７に沿って挿入口１４側に搬送する。これによりフィルムの後端側が挿入口１４から排出される。フィルムの後端側が挿入口１４から排出されると、ユーザは後端側を手で持って引き出すことでフィルム全体を挿入口１４から取り出すことができる。
【００４８】
次に、フィルムの排出の異常動作について説明する。
排紙ボタン５３が押下されたとき、透過原稿搬送装置１７または制御部１２６０に万が一不具合があってフィルムが排出口９０側に搬送されると、フィルムは搬送路８７上の区間であって第二レール部材２６の上昇部と第二押さえ部材２７とで形成されている区間、更に第三レール部材４８と第二押さえ部材２７とで形成されている区間を通過して排出口９０に達し、排出口９０から透過原稿搬送装置１７外に排出される。
【００４９】
なお、ここではフィルムを排出する際の不具合を例に説明したが、例えば第一読み取り領域ＳＳにフィルムを搬送するときに何等かの不具合によって透過原稿搬送用モータの回転が止まらず、挿入口１４とは逆側に向かって送り続けられてしまうことも考えられる。その様な不具合の場合もフィルムは排出口９０から透過原稿搬送装置１７外に排出される。
【００５０】
以上説明した本発明の一実施例に係るイメージスキャナ１によると、搬送路８７は挿入口１４とは逆側の端にフィルムを排出可能な排出口９０を有している。このため、透過原稿搬送装置１７または制御部１２６０の何等かの不具合によりフィルムが搬送路８７に沿って挿入口１４とは逆側の端に向かって搬送されてしまっても、フィルムは排出口９０から透過原稿搬送装置１７外に排出されるため、フィルムが詰まってフィルムが回復不能な損傷を受けてしまうことを防止できる。
【００５１】
なお、本実施例では第一読み取り領域ＳＳに搬送されたフィルムの面にイメージセンサ３８を平行に移動させてフィルムを読み取るイメージスキャナ１を例に説明したが、イメージセンサ、又はイメージセンサに原稿の光学像を入射させるミラーを原稿台２４の盤面に平行に移動させて第一読み取り領域ＳＳの下に位置決めし、透過原稿搬送装置１７によって第一読み取り領域ＳＳ上を搬送されるフィルムを読み取るようにしてもよい。すなわち、イメージセンサに対してフィルムを移動させることにより原稿を読み取ってもよい。
【図面の簡単な説明】
【００５２】
【図１】本発明の一実施例に係る画像読み取り装置の断面図。
【図２】本発明の一実施例に係る透過原稿搬送装置の外観を示す斜視図。
【図３】本発明の一実施例に係る透過原稿搬送装置の外観を示す斜視図。
【図４】本発明の一実施例に係る第一の開口周辺の斜視図。
【図５】本発明の一実施例に係る第一の開口の模式図。
【図６】（Ａ）及び（Ｂ）は本発明の一実施例に係る透過原稿の撓みを示す斜視図。
【図７】本発明の一実施例に係る透過原稿搬送装置の裏側を示す斜視図。
【図８】本発明の一実施例に係る透過原稿搬送装置の断面図。
【図９】本発明の一実施例に係る透過原稿搬送装置を下から見た平面図。
【図１０】本発明の一実施例に係る搬送機構を下側から見た斜視図。
【図１１】本発明の一実施例に係る搬送機構及び板ばねを示す模式図。
【図１２】（Ａ）及び（Ｂ）は本発明の一実施例に係る第一板ばねの断面図。
【図１３】本発明の一実施例に係る画像読み取り装置のブロック図。
【図１４】本発明の一実施例に係るフローチャート。
【図１５】本発明の一実施例に係るフローチャート。
【符号の説明】
【００５３】
１  イメージスキャナ（画像読み取り装置）、１４  挿入口（第一の開口）、１７  透過原稿搬送装置、２４  原稿台、３８  イメージセンサ（読み取り部）、５２  原稿マット、５７  搬送機構（搬送部）、８７  搬送路、９０  排出口（第二の開口）、１１０  第一照明部（読み取り部）、１１４  主走査駆動部（読み取り部）、１１８  キャリッジ搬送部（読み取り部）、１２２  アナログフロントエンド部（読み取り部）、１２４  ディジタル画像処理部（読み取り部）、１２６０  制御部（読み取り部）、ＳＳ  第一読み取り領域（原稿読み取り領域）
【図１】
2006100927.tif 000003
【図２】
2006100927.tif 000004
【図３】
2006100927.tif 000005
【図４】
2006100927.tif 000006
【図５】
2006100927.tif 000007
【図６】
2006100927.tif 000008
【図７】
2006100927.tif 000009
【図８】
2006100927.tif 000010
【図９】
2006100927.tif 000011
【図１０】
2006100927.tif 000012
【図１１】
2006100927.tif 000013
【図１２】
2006100927.tif 000014
【図１３】
2006100927.tif 000015
【図１４】
2006100927.tif 000016
【図１５】
2006100927.tif 000017